(57)【要約】【課題】  情報表示装置に表示された情報を電子的に利用することを可能とすること。【解決手段】  表示対象となるページに対応する文書データを表示パネル７０ａに表示される形式であるラスタ図形に変換し、その変換されたラスタ図形に基づいて前記ページを表示パネル７０ａに表示させる情報表示装置１において、文書データをラスタ図形に変換する過程に形成されるデータ形式である中間データに変換しておき、その変換された中間データをラスタ図形に変換すると共に、文書データを中間データに変換するときに特定される表示データの表示範囲と文書データの要素の位置とを示すリバースマップを取得するようにした。そして、表示されている情報に含まれる要素が指定された場合に、その要素の表示データに対応する文書データを当該リバースマップによって抽出するようにした。【選択図】  図１
2005208899.tif 000002
【特許請求の範囲】
【請求項１】
表示対象となる情報の文書データをディスプレイに表示される形式である表示データに変換し、その変換された表示データに基づいて、前記表示対象となる情報をディスプレイに表示させる情報表示装置であって、前記文書データを表示データに変換する過程に生成されるデータ形式である中間データに当該文書データを変換する中間データ変換手段と、変換された中間データを表示データに変換可能な表示データ変換手段と、変換された表示データに基づいて、前記表示対象となる情報をディスプレイに表示させる表示手段と、前記文書データを中間データに変換するときに特定される当該文書データと当該文書データに対応する表示データとの対応関係を管理する管理手段とを備えたことを特徴とする情報表示装置。
【請求項２】
前記管理手段は、少なくとも、ディスプレイに表示されたときの表示データの表示範囲と、その表示データに対応する文書データの要素の位置とを管理することを特徴とする請求項１に記載の情報表示装置。
【請求項３】
ディスプレイに表示された表示データが指定されたときに、その指定された表示データに対応する文書データを前記管理手段によって特定し、その特定された文書データを外部装置に出力可能としたことを特徴とする請求項１又は２に記載の情報表示装置。
【発明の詳細な説明】
【技術分野】
【０００１】
本発明は、表示対象となる情報を表示するための情報表示装置に関する。
【背景技術】
【０００２】
従来、情報を可視的に表す方法として、紙に情報を印刷することが広く行われている。
【０００３】
紙に情報を印刷すること（いわゆるハードコピー）に関しては、既に長きにわたって利用され、改良が重ねられていることから、優れた印刷技術が確立されている。
【０００４】
このように紙に印刷された情報は、高品質で印刷することができるため情報を見易いこと、無体物である情報を有体物である紙として把握することができるためユーザが使い易いこと等の特長を有している。
【０００５】
ところが、ハードコピーされた情報は、紙に固着された状態となり、その書き換え、消去あるいは電子情報としての利用が困難なものである。そのため、コンピュータを用いて電子的に情報処理を行うこととの親和性に乏しく、大量の情報を取り扱うこと、情報の再利用性あるいは表示媒体（紙）の再利用性という点にも難点があった。
【０００６】
一方、ＰＣ（Personal Computer）等に備えられている一般のディスプレイにおいては、液晶表示装置等に代表されるように、表示装置の薄型化が進んでおり、また、その表示能力も、高精細度化、高コントラスト化が実現されている。特に最近では、新しい表示原理に基づき、反射方式等による自然な表示を無電力で保持可能といった、いわゆる「電子ペーパー」と呼ばれる軽薄な表示媒体が開発されつつあり、ハードコピーに近い表示品質を実現できるものとして期待されている。例えば、特開２００２−１６９１９０号公報には、このような電子ペーパーと呼ばれる表示媒体に関する技術が開示されている。
【０００７】
即ち、電子ペーパーは、高精細、高コントラストで、ペーパーホワイトを実現可能な高反射率であると共に、紙のように極めて薄く構成することができるという特徴を有する。したがって、このような電子ペーパーを表示媒体として備える情報表示装置は、従来の紙が備えている見易さ、使い易さに加え、表示された情報の消去、書き換えあるいは電子情報としての利用が可能であるといった紙にない特長を備えられることから、利用価値の高いものとして期待される。
【０００８】
現在、このような電子ペーパーを表示媒体として備える情報表示装置としては、ＰＤＡ（Personal Data Assistant）等の従来の情報表示装置の表示媒体部分を、電子ペーパーで置き換えたものが提案されている。
【０００９】
ところで、情報の再利用性の観点からは、情報表示装置が取り扱う情報の文書データは、ＸＭＬ等の意味構造により表現された形式であることが要求される。そのため、情報を表示するときには、意味構造により表現された文書データを解釈し、その解釈された文書データをディスプレイに表示される形式である表示データに変換するという、大規模な情報処理を行うことが要求される。このような情報処理による負荷を軽減する方法としては、例えば、表示対象となる情報を表示データに変換する過程に生成されるデータ形式である中間データに変換しておき、情報の表示が指示された際に、表示が指示された情報に対応する中間データを表示データに変換する方法が考えられる。
【特許文献１】特開２００２−１６９１９０号公報
【発明の開示】
【発明が解決しようとする課題】
【００１０】
しかしながら、従来の情報表示装置の表示媒体部分を電子ペーパーで置き換えた従来の表示装置に、文書データを中間データに変換しておく技術を適用したものにあっては、文書データを中間データに変換したときに、その文書データと中間データとの対応関係を示す情報が失われてしまうため、表示データと文書データとの対応関係を示す情報も失われてしまい、表示されている情報からその元となる文書データを辿ることができず、情報表示装置に表示された情報を電子的に利用することが困難であった。
【００１１】
そこで、本発明は、上記従来の情報表示装置の未解決の問題点を解決することを目的とするものであって、情報表示装置に表示された情報を電子的に利用することを可能とする情報表示装置を提供することを課題とする。
【課題を解決するための手段】
【００１２】
上記課題を解決するため、第１の発明である情報表示装置は、表示対象となる情報の文書データをディスプレイに表示される形式である表示データに変換し、その変換された表示データに基づいて、前記表示対象となる情報をディスプレイに表示させる情報表示装置であって、前記文書データを表示データに変換する過程に生成されるデータ形式である中間データに当該文書データを変換する中間データ変換手段と、変換された中間データを表示データに変換可能な表示データ変換手段と、変換された表示データに基づいて、前記表示対象となる情報をディスプレイに表示させる表示手段と、前記文書データを中間データに変換するときに特定される当該文書データと当該文書データに対応する表示データとの対応関係を管理する管理手段とを備えたことを特徴とする。
【００１３】
この第１の発明によれば、表示されている情報に含まれる要素が指定された場合に、その要素の表示データに対応する文書データを抽出すること、つまりその要素の元となる文書データを抽出することが可能となり、情報表示装置に表示された情報を電子的に利用することが可能である。
【００１４】
また、第２の発明である情報表示装置では、前記管理手段は、少なくとも、ディスプレイに表示されたときの表示データの表示範囲と、その表示データに対応する文書データの要素の位置とを管理することを特徴とする。
【００１５】
この第２の発明によれば、指定された要素が含まれている表示範囲を特定し、その特定された表示範囲にある表示データを特定することが可能となり、その表示データに対応する文書データの要素の位置を特定することが可能である。
【００１６】
さらに、第３の発明である情報表示装置では、ディスプレイに表示された表示データが指定されたときに、その指定された表示データに対応する文書データを前記管理手段によって特定し、その特定された文書データを外部装置に出力可能としたことを特徴とする。
【００１７】
この第３の発明によれば、表示されている情報に含まれる要素を選択してコピーするユーザアクションが行われた場合に、その元となる文書データを外部装置に出力することが可能となり、出力先の装置においては、出力された文書データを表示したり、記憶したりすることが可能となる。
【発明を実施するための最良の形態】
【００１８】
以下、本発明に係る情報表示装置の実施の形態を図面に基づいて説明する。
【００１９】
図１は、本発明を適用した情報表示装置１の構成を示す図である。この情報表示装置１は、図１に示すように、データインターフェース（以下、「データＩ／Ｆ（Inter Face）」と称する。）１０と、データ記憶部２０と、ＣＰＵ（Central Processing Unit）３０と、プログラム記憶部４０と、ＲＡＭ（Random Access Memory）５０と、グラフィックアクセラレータ（以下、「ＧＡ（Graphic Accelerator）」と称する。）６０と、表示駆動部７０と、表示パネル７０ａと、入力制御部８０と、入力パネル８０ａと、アクションインターフェース９０と、バッテリ１００とを含んで構成される。
【００２０】
データＩ／Ｆ１０は、情報表示装置１外部からデータを入力することが可能なインターフェースであり、例えば、通信インターフェースあるいは記憶メディアのスロット等によって構成される。そして、データＩ／Ｆ１０を介して入力されたデータは、データ記憶部２０に記憶される。なお、データＩ／Ｆ１０が記憶メディアのスロットである場合、データ記憶部２０にデータを記憶することなく、スロットに差し込まれた記憶メディアから直接データを読み出して利用することとしてもよい。
【００２１】
データ記憶部２０は、フラッシュメモリ等の不揮発性のメモリによって構成され、データＩ／Ｆ１０から入力されたデータを記憶可能である。
【００２２】
また、データ記憶部２０に記憶された文書データは、文書の構造あるいは表示形態を記述可能な構造化文書であり、意味構造を持つ文字列、画像あるいは音声等を表すテキスト情報と、テキスト情報の表示レイアウトやスタイルを指定するスタイル情報とを含んでいる。文書データは、図２（ａ）に示すように、例えば、ＸＭＬ（eXtensible Markup Language）等によって文字列や画像等の要素毎に記述することが可能である。
【００２３】
ＣＰＵ３０は、情報表示装置１全体を制御するもので、入力制御部８０から入力される各種の指示信号に従って、プログラム記憶部４０に記憶された各種処理に関するプログラムを読み出して実行する。また、ＣＰＵ３０は、データ記憶部２０あるいはデータＩ／Ｆ１０に差し込まれた記憶メディアに記憶されている文書データを表示パネル７０ａに表示するための処理を行う。そして、ＣＰＵ３０は、各種処理結果を後述するＲＡＭ５０に格納する。
【００２４】
プログラム記憶部４０は、フラッシュメモリ等の不揮発性のメモリであり、情報表示装置１を制御するための各種プログラムを記憶している。
【００２５】
ＲＡＭ５０は、ＤＲＡＭ（Dynamic Random Access Memory）、ＳＲＡＭ（Static Random Access Memory）、ＦｅＲＡＭ／ＦＲＡＭ（Ferroelectric Random Access Memory）、ＭＲＡＭ（Magnetoresistive Random Access Memory）等のメモリによって構成され、ＣＰＵ３０が処理を実行する際にワークエリアを形成すると共に、その処理結果を記憶する。
【００２６】
ＲＡＭ５０としては、低消費電力でデータを保持可能なＳＲＡＭ等が望ましく、不揮発性のＦＲＡＭ、ＭＲＡＭ等がより望ましい。
【００２７】
ＧＡ６０は、ＣＰＵ３０の命令に従って、表示パネル７０ａに表示する画像の描画処理を高速に行うことが可能なハードウェアである。具体的には、ＧＡ６０は、ＣＰＵ３０から入力されたベクトル図形をラスタ図形に展開するといった処理を行う。そして、ＧＡ６０は、描画処理を行った図形を表示パネル７０ａに描画するための描画データを表示駆動部７０に出力する。
【００２８】
表示駆動部７０は、表示パネル７０ａを直接制御し、ＧＡ６０から入力された描画データを表示パネル７０ａに描画させる。具体的には、表示駆動部７０は、ＧＡ６０によって描画データが入力される形式である描画データ書き込み部７１を備えている。そして、表示駆動部７０は、描画データ書き込み部７１に入力された描画データを参照して、表示パネル７０ａのＸドライバおよびＹドライバを駆動することにより、描画対象であるラスタ図形を表示パネル７０ａに描画する。なお、描画データ書き込み部７１が表示パネル７０ａに画素を書き込むための方式としては、表示パネル７０ａのアドレスを算出し、そのアドレスに基づいて画素を書き込む方式や、表示パネル７０ａのアドレスを算出することが不要な書き込み方式のいずれを採用することも可能である。
【００２９】
なお、表示パネル７０ａを駆動する方式として、例えば、パッシブマトリクス駆動方式、ＴＦＴ（Thin Film Transistor）方式、ＴＦＤ（Thin Film Diode）方式、Ｄ−ＴＦＤ（Digital Thin Film Diode）方式等が採用可能である。
【００３０】
表示パネル７０ａは、Ａ４サイズの高画素密度（多ピクセル）である表示装置によって構成され、表示駆動部７０の制御に応じて、所定画素に画素データを表示する。
【００３１】
また、表示パネル７０ａとして、記憶性の表示装置（電源を切断しても表示画面が維持される表示装置）を使用することが可能である。この場合、表示画面の状態を維持するためには電力が不要となることから、情報表示装置１を低消費電力化することができる。
【００３２】
なお、表示パネル７０ａとして、例えば、電気泳動ディスプレイ、コレステリック液晶ディスプレイ、電気粉流体を利用したディスプレイ、ツイストボールを利用したディスプレイあるいはエレクトロデポジションディスプレイ等が採用可能である。
【００３３】
入力制御部８０は、入力パネル８０ａからＣＰＵ３０への信号入力を制御するインターフェースの機能を有しており、入力パネル８０ａが発生する入力信号を受け取り、所定処理を施した上で、処理結果をＣＰＵ３０に出力する。例えば、入力制御部８０は、ユーザが入力パネル８０ａの入力面に接触した場合に、その接触位置の座標を算出する座標取得部８１を備えており、算出した接触位置の座標をＣＰＵ３０に出力する。
【００３４】
入力パネル８０ａは、例えばタッチタブレット等の入力装置によって構成され、ユーザから情報表示装置１に対する指示入力を受け付けることが可能な入力面を有している。また、入力パネル８０ａの入力面は、表示パネル７０ａの表示面と同一のサイズに構成されており、表示パネル７０ａの表示面と重ねられた状態で備えられている。そして、入力パネル８０の入力面上の座標と、表示パネル７０ａの表示面上の座標とは、互いに対応付けられている。したがって、ユーザが入力パネル８０の入力面に接触した場合、ＣＰＵ３０は、その接触位置に対応する表示パネル７０ａの座標を把握することが可能である。
【００３５】
アクションインターフェース９０は、通信インターフェース等、他の装置に情報を伝達するためのインターフェースであり、入力パネル８０ａに入力操作することによりユーザが選択した文字列等のデータを、アクションインターフェース９０を介して、他の情報表示装置１やプリンタ等に送信することが可能である。
【００３６】
バッテリ１００は、一次電池あるいは二次電池によって構成され、情報表示装置１の各部に電力を供給する。
【００３７】
また、解析・整形部１１０と、描画処理部１２０と、要素探索部１３０と、文書抽出部１４０とは、ＣＰＵ３０と、ＧＡ６０とによって実現される機能部である。
【００３８】
解析・整形部１１０は、データ記憶部２０に記憶された文書データをテキスト情報とスタイル情報とに分離する。そして、解析・整形部１１０は、ページ等の表示単位ごとに、テキスト情報の要素（文字列や画像等）をスタイル情報に従って配置し、指定されたスタイルの描画要素に展開する。具体的には、テキスト情報の要素が文字列である場合、文字列を構成する文字コードが、指定された大きさ、書体あるいは色等の属性からなるフォントを示す情報に変換される。また、テキスト情報の要素が画像（ラスタ図形）である場合、その要素に含まれる画素列あるいは圧縮された描画データが、実際に表示される状態の画素列に変換される。
【００３９】
また、解析・整形部１１０は、表示パネル７０ａに文書データを表示するために、その文書データの全体あるいは最先の表示対象となる部分を予め描画要素に展開し、展開した文書データをＲＡＭ５０に記憶する。なお、解析・整形部１１０によって展開された描画要素の形式を、以下「中間データ」と称する。このように、文書データを中間データに変換しておくことにより、文書データを表示パネル７０ａに高速に表示することが可能となる。
【００４０】
ここで、中間データの具体的内容について説明する。
【００４１】
中間データは、表示パネル７０ａに高速に表示することが可能な形式であることから、図３（ｂ）の＃６、＃７、＃９〜＃１４、図３（ｃ）の番号６、７、９および１０に示すように、文字列については、ベクタ図形であるアウトラインフォントとし、表示座標と併せたデータの集合とすることが可能である。また、図３（ｂ）の＃２〜＃５、図３（ｃ）の番号２〜５に示すように、ベクタ画像については、表示するベクタ画像を水平線によって複数の図形＃２〜＃５に分割し、その分割された複数の図形＃２〜＃５（台形）のベクトル図形とし、表示座標と併せたデータの集合とすることが可能である。また、ビットマップ画像については、表示する画素列を示すデータに対し、軽量の圧縮処理を施したデータとすることも可能である。なお、中間データとしては、ハードウェアの性能や、必要とされる表示速度等の条件に応じて、種々のデータ形式を規定することが可能である。
【００４２】
また、解析・整形部１１０は、文書データが中間データに変換される際に、図３（ｄ）に示すように、表示パネル７０ａに表示されたときのラスタ図形の表示範囲と、そのラスタ図形に対応する文書データの要素の要素番号（全文書データにおける位置）及びその要素における位置（例えば、その要素番号に文字列に対応する文書データがある場合、文字列の先頭の文字から数えた位置）との対応関係を示すテーブル形式のデータ（リバースマップ）を取得し、取得したリバースマップをＲＡＭ５０に記憶する。このように、文書データと当該文書データに対応するラスタ図形との対応関係を取得しておくことにより、表示パネル７０ａに表示された図形等を選択すると、その画素位置に基づいて、いずれの文書データが選択されたかが把握され、コピーアンドペースト等、表示されたデータの電子的な利用が可能になる。
【００４３】
描画処理部１２０は、表示対象である中間データを処理し、表示パネル７０ａの画素数に応じたビットマップ画像とする。具体的には、描画処理部１２０は、連続直線、ベジェ曲線あるいは多角形等の図形を直線分解する処理（所定のベクトルの和に分解する処理）を行い、さらに直線や円弧等の通過点となる画素位置の算出を行うといった、中間データに含まれているラスタ画像をビットマップ化するための一連の処理を行う。
【００４４】
また、描画処理部１２０は、圧縮されているビットマップ画像のデータについては、そのデータを伸長し、画素データの並びであるブロックを生成する処理を行う。そして、描画処理部１２０は、ビットマップ化されたデータを表示駆動部７０に出力する。
【００４５】
要素探索部１３０は、ＲＡＭ５０に記憶されているリバースマップに基づいて、表示パネル７０ａに表示されている図形等に対応する文書データを特定する後述する特定処理を行うことが可能である。そして、要素探索部１３０は、特定処理によって特定した文書データを示す情報（以下、「文書要素参照情報」と言う。）を文書抽出部１４０に出力する。
【００４６】
文書抽出部１４０は、要素探索部１３０から入力された文書要素参照情報に基づいて、表示パネル７０ａ上で選択された図形等に対応する文書データを取得する。
【００４７】
次に、要素探索部１３０及び文書抽出部１４０（ＣＰＵ３０）で実行される特定処理を図４のフローチャートに従って説明する。この特定処理は、ユーザが入力パネル８０ａの入力面に接触したときに実行される処理であって、図４に示すように、まずそのステップＳ１では、図５（ａ）に示すように、入力パネル８０ａの入力面における接触位置の座標を入力制御部８０の座標取得部８１から取得する。
【００４８】
次にステップＳ２に移行して、図５（ｂ）に示すように、前記ステップＳ１で取得された座標を含む表示範囲をリバースマップから検索する。
【００４９】
次にステップＳ３に移行して、前記ステップＳ２で検索された表示範囲に対応する要素番号及び位置をリバースマップマップから取得する。
【００５０】
次にステップＳ４に移行して、図５（ｃ）に示すように、前記ステップＳ３で取得された要素番号及び位置に対応する文書データをデータ記憶部２０から読み込む。
【００５１】
次にステップＳ５に移行して、前記ステップＳ４で読み込まれた文書データをＲＡＭ５０に格納してから、この演算処理を終了する。
【００５２】
次に、動作を説明する。
【００５３】
まず、図５（ａ）に示すように、表示パネル７０ａに表示されている文字列「Ｐｅｎｔａｇｏｎ」の先頭から３番目の文字「ｎ」が表示されている位置に対応する入力パネル８０ａにユーザが接触したとする。
【００５４】
すると、要素探索部１３０が特定処理を実行し、図４に示すように、まずそのステップＳ１で、図５（ａ）に示すように、入力パネル８０ａの入力面における接触位置の座標（１１３，５０）が入力制御部８０の座標取得部８１から取得される。次に、ステップＳ２で、図５（ｂ）に示すように、取得された座標（１１３，５０）を含む表示範囲（１１２，４９）（１１４，５２）がリバースマップから検索され、ステップＳ３で、検索された表示範囲（１１２，４９）（１１４，５２）に対応する要素番号「３６」及び位置「３」がリバースマップマップから取得される。そして、ステップＳ４で、図５（ｃ）に示すように、取得された要素番号「３６」及び位置「３」に対応する文書データがデータ記憶部２０から読み込まれ、ステップＳ５で、読み込まれた文書データをＲＡＭ５０に格納してから、この演算処理が終了される。その結果、ユーザが行った入力操作の対象となる文字「ｎ」の文書データを、情報表示装置１が他の装置に送信したり、表示パネル７０ａの他の部分にコピーアンドペーストしたりすることが可能となる。
【００５５】
以上のように、本実施の形態に係る情報表示装置１においては、表示パネル７０ａに表示されている文字列等が、リバースマップによって文書要素と対応付けられている。そして、ユーザが表示パネル７０ａの文字列等に入力操作すると、それに対応する文書データが取得される。したがって、表示パネル７０ａに表示された情報を電子データとして利用することが可能となる。
【００５６】
なお、上記実施形態では、図１の表示パネル７０ａがディスプレイを構成し、以下同様に、図１のＣＰＵ３０、解析・整形部１１０が中間データ変換手段を構成し、図１のＧＡ６０および描画処理部１２０が描画データ変換手段を構成し、図１の表示駆動部７０および描画データ書き込み部７１が表示手段を構成し、図３（ｄ）および図５（ｂ）のリバースマップが管理手段を構成する。
【００５７】
また、本発明の情報表示装置は、上記実施の形態の内容に限定されるものではなく、本発明の趣旨を逸脱しない範囲で適宜変更可能である。
【００５８】
例えば、上記実施形態では、ユーザが行った入力操作の対象となる図形等に対応する文書データを、情報表示装置１が他の装置に送信したり、表示パネル７０ａの他の部分にコピーアンドペーストしたりする例を示したが、これに限られるものではない。例えば、図６に示すように、情報表示装置１を含む複数の装置で、相互に連携することによって構築される情報処理システム２を構成し、各装置が、記憶しているデータあるいはユーザアクションの対象とされた文書要素等を、他の装置に送信するようにしてもよい。また、これらのデータを受信した装置においては、受信したデータを表示したり、記憶したりするようにしてもよい。そのようにすれば、送信元の装置において、表示パネル７０ａに表示されている図形等を選択してコピーするユーザアクションが行われると、リバースマップに基づいて、対応する文書要素が選択され、ＲＡＭ５０に記憶される。そして、ユーザが、コピーしたデータを他の装置に送信する指示を行うと、ＲＡＭ５０に記憶された文書要素が、通信インターフェース等を介して、送信先の装置に送信される。すると、送信先の装置においては、受信した文書要素を表示したり、記憶したりすることが可能となる。
【００５９】
また、このような情報処理システム２としては、情報表示装置１が主体的に動作し、情報処理装置が補助的に動作する情報処理システム２とするようにしてもよい。例えば、図７（ａ）に示すように、情報表示装置１と通信可能な情報処理装置を構成し、情報表示装置１における処理に伴って発生する種々の情報処理を、補助的に行うようにしてもよい。
【００６０】
具体的には、情報処理装置は、英和辞書データベースを備えており、情報表示装置１から英単語およびその日本語訳を検索する旨の命令（以下、「アクション情報」と言う。）を受信することに対応して、その英単語の日本語訳を表示する機能を備えている。
【００６１】
図７（ｂ）は、この情報処理システム２の使用状態を示す図である。図７（ｂ）において、情報表示装置１の表示パネル７０ａ上で、英単語を選択するユーザアクションが行われると、リバースマップに基づいて、選択された英単語に対応する文書要素が参照される。そして、情報表示装置１は、その文書要素が示す英単語を検索する旨のアクション情報を情報処理装置に送信する。すると、情報処理装置は、受信した英単語の日本語訳を検索し、検索した日本語訳を表示する。
【００６２】
このように、情報処理システム２においては、限定された機能を有する情報表示装置１と他の装置とが連携することにより、複雑な情報処理が行われている。したがって、単一の装置では実現不可能な高度な機能を実現することが可能となる。また、ユーザは、よりシンプルな機能を有する、操作性の高い情報表示装置１上で基本となる処理を行いながら、電力やリソースを消費するようなコストの高い、散発的な処理を補助的な装置に行わせることができる。したがって、ユーザは、種々の情報処理をより快適な環境で行うことが可能となる。
【図面の簡単な説明】
【００６３】
【図１】本発明を適用した情報表示装置１の構成を示す図である。
【図２】情報表示装置１の動作を説明するための説明図である。
【図３】情報表示装置１の動作を説明するための説明図である。
【図４】ＣＰＵ３０で実行される特定処理を示すフローチャートである。
【図５】情報表示装置１の動作を説明するための説明図である。
【図６】情報表示装置１の変形例を説明するための説明図である。
【図７】情報表示装置１の変形例を説明するための説明図である。
【符号の説明】
【００６４】
１は情報表示装置、１０はデータＩ／Ｆ、２０はデータ記憶部、３０はＣＰＵ（中間データ変換手段）、４０はプログラム記憶部、５０はＲＡＭ、６０はＧＡ、７０は表示駆動部、７０ａは表示パネル、７１は描画データ書き込み部、８０は入力制御部、８０ａは入力パネル、８１は座標取得部、９０はアクションＩ／Ｆ、１００はバッテリ、１１０は解析・整形部、１２０は描画処理部、１３０は要素探索部、１４０は文書抽出部
【図１】
2005208899.tif 000003
【図２】
2005208899.tif 000004
【図３】
2005208899.tif 000005
【図４】
2005208899.tif 000006
【図５】
2005208899.tif 000007
【図６】
2005208899.tif 000008
【図７】
2005208899.tif 000009